【手続補正書】
【提出日】平成16年6月24日(2004.6.24)
【手続補正１】
【補正対象書類名】明細書
【補正対象項目名】全文
【補正方法】変更
【補正の内容】
【書類名】明細書
【発明の名称】電動マッサージ機の非常停止及び初期状態復帰方法
【特許請求の範囲】
【請求項１】
電動マッサージ機の緊急停止時に利用者が緊急停止手段を２段階に分けて操作し、第1段階の操作では電動マッサージ機の動作を停止し、第２段階の操作では電動マッサージ機の初期状態に復帰させることを特徴とする非常停止手段を備えた電動マッサージ機の非常停止方法及び初期状態復帰方法。
【請求項２】
請求項１において、非常停止手段の第２段階の操作は電動マッサージ機が動作したときから所定時間経過後に自動的に操作されることを特徴とする電動マッサージ機の初期状態復帰方法。
【請求項３】
電動マッサージ機の所定の動作を終了後に電動マッサージ機が初期状態に復帰する際に、背もたれ部のもみ玉が前方に突出することを特徴とする電動マッサージ機の初期状態復帰方法。
【請求項４】
請求項３において、初期状態に復帰後に利用者が電動マッサージから離れたかどうかを検出する検出器を有し、離れていない場合には音響を発することを特徴とする電動マッサージ機の初期状態復帰方法。
【請求項５】
請求項１乃至４の何れか一つの電動マッサージ機が半透明シートで覆われた屋内設置室を有すること特徴とする電動マッサージ機。
【請求項６】
請求項５において、屋内設置室内には入り口にカーテン部があり、カーテン部の内では利用者が立ちあがる空間があることを特徴する電動マッサージ機。
【請求項７】
請求項５または６において、屋内設置室には、手荷物置き場が備えられていることを特徴とする電動マッサージ機。
【請求項８】
請求項１乃至７の何れか一つの電動マッサージ機は硬貨動作により駆動されることを特徴とする電動マッサージ機
【発明の詳細な説明】
【０００１】
【産業上の利用分野】
本発明は、使用者が硬貨を投入することで作動する電動マッサージチェアにおいて、動作途中で操作を停止させた際や動作終了後に安全に初期復帰する方法に関する。
【０００２】
【従来の技術】
ホテル、旅館等に置かれ稼動している硬貨作動式の電動マッサージチェアは、主として年配者が利用しており、予め背もたれが寝た状態でおかれ、顧客がコイン投入機に硬貨を投入しマッサージチェアに座り、モードを選択し背もたれの角度を調整してスタートボタンを押すことで一定時間、マッサージを受けることができる。通常は一定時間が経過すると、自動的に施療子が任意の位置で、且つ任意な状態で機械が止まり、顧客は自分でそのマッサージチェアから起きあがり終了となるのである。
顧客がマッサージ途中で、何らかの都合でマッサージを止めたいときは、停止スイッチを押して、機械の動きを止めるのである。
【０００３】
それでは施療子が任意の位置で任意の状態で止まっているので、次に使用する際に不便である。そこで、上下に移動自在な施療子を備えて、施療子の上下動で施療子によるマッサージ位置を可変させ、また、本体にはコインを投入すると定められた時間だけ電源を供給するコインタイマーを取り付け、該コインタイマーの電源出力のオン・オフをマッサージ施療の開始、及び終了信号として受取り、該コインタイマーのタイムアップの後、該施療子は予め定められた定位置に移動後停止し、施療終了となる椅子型マッサージ機が提案されている。（特許文献１）。
【０００４】
また、マッサージ終了後に椅子から立ちあがりやすくするという点から、マッサージ中に背もたれのリクライニング角度を倒していたものを、背もたれを起こし、座部のクッションを浮き上がらせるようにすることが提案されている（特許文献２）。
【０００５】
【特許文献１】
実開平５−６２２３３号公報（第６頁、図３（ａ）、図４）
【特許文献２】
特許第２９２２５５４号公報（第５頁、第１１図）
【０００６】
【発明が解決しようとする課題】
前記したホテル、旅館等に置かれ稼動している硬貨作動式の電動マッサージチェアでは、電動マッサージ機が剥き出しで設置されているので、マッサージを受ける際に人目をはばかるのであった。
最近では、若い女性も心身の不調を訴え、マッサージを受けるようになっており、マッサージを受けるにあたりプライバシー保護の重要性が高まっているのであった。また、手荷物等をもっている場合は、盗難防止のために自分の手に持ってマッサージを受ける必要があった。
【０００７】
さらにマッサージの途中で顧客がマッサージを停止したい場合、その場で自らの力で動作中のマッサージチェアから脱出するか、停止ボタンを押してマッサージチェアの動作をその状態で停止させ、その状態から脱出するしかなかった。
【０００８】
また、特許文献１記載の実開平５−６２２３３号公報の椅子型マッサージ機では、コインタイマーのタイムアップ後に、施療子が予め定められた定位置に移動後停止し、施療終了となるのであり、途中でマッサージを停止することができないのである。これは操作パネル上の操作スイッチにその機能がないからである。
【０００９】
さらに、特許文献２記載の特許第２９２２５５４号では、マッサージ終了により背もたれのリクライニング角度を小さくしたり、座部のクッションを浮き上がらせて立ち上がりやすくしているが、これではマッサージ中に気持ち良くなり寝てしまった人を起こすことが出来にくいのである。この場合はコインタイマー式を想定しておらず、マッサージ中に気持ち良くなり寝てしまった人を起こす機能がないのである。
【００１０】
そこで本願では、上述した課題に鑑み、マッサージを受けるあたりプライバーシ保護及び盗難防止の観点から、安心してマッサージを受けられる空間を提供するマッサージ機を提供することにある。
さらに、硬貨動作式マッサージ機において、何らかの都合により顧客が途中でマッサージを停止したい場合の脱出を容易にしかも安全にできる方法を提供することにある。
さらにまた、本願ではマッサージ中に気持ち良くなり寝込んでしまった顧客を起こす機能を提供することにある。
【００１１】
【課題を解決するための手段】
上記目的を達成するために、請求項１記載の発明では、電動マッサージ機の緊急停止時に利用者が緊急停止手段を２段階に分けて操作し、第1段階の操作では電動マッサージ機の動作を停止し、第２段階の操作では電動マッサージ機の初期状態に復帰させる非常停止手段を備えた電動マッサージ機の非常停止方法及び初期状態復帰方法としてある。
【００１２】
これにより、利用者に何らかの危険が迫っている場合に、電動マッサージ機をその状態のまま緊急停止させることができ、障害を取り除いた後に、マッサージ機を初期の状態に戻す操作ができるので、安全性が高まるのである。
【００１３】
上記目的を達成するために、請求項２記載の発明では、非常停止手段の第２段階の操作は電動マッサージ機が動作したときから所定時間経過後に自動的に操作される電動マッサージ機の初期状態復帰方法としてある。
これにより、第１段階で利用者が自らの力で電動マッサージ機から脱出した場合でも、電動マッサージ機は所定時間経過後に初期状態に復帰するのである。
【００１４】
上記目的を達成するために、請求項３記載の発明では、電動マッサージ機の所定の動作を終了後に電動マッサージ機が初期状態に復帰する際に、背もたれ部のもみ玉が前方に突出する電動マッサージ機の初期状態復帰方法としてある。
これにより、利用者の背中を押すことで、マッサージ終了を利用者に認識させることができるのできる。
【００１５】
上記課題を解決するために、請求項３の発明では、初期状態に復帰後に利用者が電動マッサージから離れたかどうかを検出する検出器を有し、離れていない場合には音響を発する電動マッサージ機の初期状態復帰方法としてある。
これにより、万一マッサージ中に寝入ってしまった利用者が、マッサージ終了後まで寝入っていても音響で起こすことができ、寝過ごしを防止できるのである。
【００１６】
上記課題を解決するために、請求項４の発明では、請求項１乃至４の何れか一つの電動マッサージ機が半透明シートで覆われた屋内設置室を有する電動マッサージ機としてある。
これにより、人目の多いところでも利用者に気軽にマッサージを楽しめる空間を提供するので、マッサージに没頭でき、心身のリフレッシュになるのである。
【００１７】
上記課題を解決するために、請求項６の発明では、請求項５において屋内設置室内には入り口にカーテン部があり、カーテン部の内では利用者が立ちあがる空間がある電動マッサージ機としてある。
これにより、外部の人目をはばかることなく、カーテン部内で利用者が衣服を着たり、身繕いができるのである。
【００１８】
上記目的を達成するために、請求項７の発明では、請求項５または６の屋内設置室には、手荷物置き場が備えられている電動マッサージ機としてある。
これにより、利用者は屋内設置室内に手荷物を置くことができ安心してマッサージを受けることができるのである。
【００１９】
上記課題を解決するために、請求項８では、請求項１乃至７の何れか一つの電動マッサージ機は硬貨動作により駆動される電動マッサージ機としてある。
これにより、硬貨動作式であるので、人手を煩わすことなく、また時間体にかかわらず、利用者は適切な料金を支払うことでマッサージを受けることができるのである。
【００２０】
【発明の実施の形態】
以下、本発明に係る電動マッサージ機の非常停止及び初期復帰方法の実施形態を図面に図示した実施例を参照して詳細に説明する。
【００２１】
【実施例】
以下、図面に基づいて本発明の実施例について詳細に説明する。図１は、本願の発明を適用した屋内設置室付き硬貨式マッサージチェアを示す斜視図である。
【００２２】
屋内設置室付き硬貨式マッサージチェアは、マッサージ機本体１は長方形の設置基台１０中央に設置されており、背もたれ部２、座部３、足載せ部４、左右の肘部５、そして底部６により構成され、クッション材を介し外装皮布でカバーリングした背部内部にはもみ玉７が組込まれている。足載せ部４がある方が前、背もたれ部２がある方を後として説明する。マッサージ機本体１は設置基台１０に設けた屋内設置室２０で囲われ、前方のカーテン部を開けて入るようになっている。
【００２３】
マッサージ機本体の足載せ部の右側の設置基台上には硬貨投入器１１が立設されており、手前面は傾斜になっておりコントロールパネル１２が配置され、コントロールパネル１２にはコース選択ボタン１３、非常停止ボタン１４、タイマ表示部１５が設けられている。さらにコントロールパネルの下側の手前垂直面には硬貨投入口１６が設けられている。顧客はマッサージ機に腰を下ろした状態で、硬貨投入口１６に硬貨を投入して、コントロールパネルのコース選択ボタン１３を操作するこができるようになっている。投入した硬貨は硬貨投入器内の図示しないコインボックスに収納される。硬貨動作式であるので人手を煩わすことなく、また時間体にかかわらず、利用者は適切な料金を支払うことでマッサージを受けることができるのである。これにより、いつでも、マッサージを受けることができるのである。
【００２４】
マッサージ機本体の後方の設置基台１０には音響装置１７が配置されており、マッサージ機本体の右側には制御回路１８が搭載されている。マッサージ機本体の左側の設置基台には荷物置き台１９が設けられ、利用者がマッサージを受けている間、バック等の手荷物を置いておくことができる。さらに屋内設置室２０にはフックが取り付けてあり、洋服等をマッサージ中に掛けておくことができるようになっている。これにより、目を瞑ってマッサージを受けても安心してできるのである。
【００２５】
図２には屋内設置室付き硬貨式マッサージチェアの側面図を示す。図示では背もたれ部２のホームポジション位置を示すＡと、深く傾斜した状態のＢを示し、背もたれ部２がＢ状態で利用者がマッサージチェアに座っている状態を示している。
もみ玉７は、背もたれ部２の内部で上下方向に設置された送り螺子機構により、マッサージ機本体1に座った人の首部から臀部にかけて上下方向に移動すると共に、送り螺子の回転駆動は背もたれ部内に設けられたモータにより駆動され、もみ玉７は、もみ玉駆動機構により、ねりもみ、もみ上げ、もみ下げ、ローリングや叩き動作を行い、マッサージ機本体に座った人にマッサージを提供する。もみ玉機構は、モータの駆動により、送り螺子を回転させ、リンクとレバーとを介し、クランク軸を回転させることでアームが回転して、その動きをもみ玉７に伝達し、もみ玉７を利用者の背面に向けて突出量を変化させ、マッサージをするのである。これらは背もたれの内部にマッサージ機構８として設けられている。
【００２６】
背もたれ部２は、座部３及び底部６とを介して設けられたリクライニング機構９のモータ９ａの駆動により座部３に対し浅く傾斜した状態Ａから深く傾斜した状態Ｂにリクライニングすることができる。
マッサージ機本体1は、床面に設置される長方形の設置基台１０の中央に配置されている。
【００２７】
設置基台１０はマッサージ機本体１に利用者が座り、背もたれ部２を深く倒した状態の平面を覆うに十分な大きさの長方形である。設置基台１０には屋内設置室２０が取り付けられている。
設置基台１０の両脇で足載せ部４の位置から前立設支柱２１が立設され、前立設支柱２１の高さは人が難なく立てる程の高さのとなっており天井部２２を支える。この空間で利用者は外部の目にさらされることなく、マッサージ前に上着を脱いだり、マッサージ後では、上着を着たり、身ずくろいができるようになっている。
【００２８】
天井部２２はマッサージ機本体の座部３の上方位置まで水平に側フレーム２３が設けられ、マッサージ機の背もたれ部２を深く寝かした高さ位置で、設置基台１０の後方縁から立設した後方支柱２４とを４分の１の円弧状に連接され、マッサージ機本体１に後方に向け緩やかにカーブをしている。それぞれ、水平フレーム２５ａ、２５ｂ、２５ｃが設置基台の両側から前立設支柱２１、座部３の上方位置、後方支柱２４のマッサージ機の背もたれ部２を深く倒した位置の高さ位置で水平に設けてある。
【００２９】
背もたれ部２を深く倒した位置の水平フレームから足乗せ部の位置に立設した前立設支柱２１に向けやや下方に傾斜した傾斜フレーム２６が両側に取り付けてある。
この両側の傾斜フレーム２６には背もたれ部２を深く倒した位置にはスピーカ２７が取り付けてあり、マッサージ機に座った状態で背もたれ部２を深く倒した状態で、利用者の両耳の側方位置にスピーカ２７が利用者に触れるとなく配されるようになっているのである。これにより、利用者には左右のスピーカ２７から２チャンネルの立体サウンドが楽しめるようになっているのである。
【００３０】
また、設置基台１０の左右及び後方には、立設された支柱間の下方には下水平フレーム２８が取り付けられている。
設置基台１０の前方は天井部２２のフレームが水平に張り出しており、水平フレームで枠体２９を形成している。
これらの支柱、フレームは屋内設置室２０の外形を形成しており、前立設支柱２１から後方にかけて乳白色の半透明状の不燃布である半透明シート３０を各支柱、フレームに被せて全体を覆っている。さらに、前立設支柱２１から前方は天井部を同様に半透明状の不燃布で覆うと共に、前方と左右側部は半透明状の不燃布である半透明シートを吊り下げたカーテン部３１となっている。これにより若い女性でも人目をはばかることなくマッサージを受ける空間を提供するのである。
【００３１】
これにより、マッサージ機本体１に人がいるかどうか、外部から見て分るとともに、マッサージを受けている人もある程度外部と遮断されるため、外部に気を散らすことなく、マッサージに没頭する環境が得られるのである。
これは外部からもマッサージ機本体１にマッサージを受けている人がいるかどうか分ることは、次にマッサージを受けたいと思っている人が、いちいち、カーテン部３１を開けて内部を確かめることなく、マッサージ機が空いているかどうかを確認できるのである。これは不特定多数の人が出入りする場所に設置した場合でも、カーテン部３１を空けて内部を確認するまでもなく、防犯上も非常に便利である。
【００３２】
図３は硬貨投入器のコントロールパネルを示す。コントロールパネル１２は硬貨投入器１１の傾斜した手前面に設けられており、顧客が好みの動作時間に見合った硬貨を投入して、コントロールパネル１２に表示された各種のコースの中から自分が受けたいマッサージのコースを選択してコース選択ボタン１３を押すことにより、マッサージ機が稼動するようになっている。
【００３３】
選択コースには、音響ともみ動作が連動するサウンドハイブリッドコースと、音響ともみ動作が連動しない通常のもみ動作をおこなうベーシックコースに分かれ、それぞれ３コースが用意されている。各コースの左側にはランプ点灯式の押ボタン式のコース選択ボタン１３ａ、１３ｂ、・・、１３ｆがそれぞれ設けてある。その下方には非常停止ボタン１４が設けられ、さらにその下にはプレイ時間を示すタイマ表示部１５が設けられデジタル表示で残り時間を示すようになっている。さらにその下側には料金設定が記載されており、図１に示す通り硬貨投入器の手前垂直面に硬貨投入口１６が設けてある。
【００３４】
稼動にあたってはマッサージ機がホームポジションである背もたれ部２が浅く傾斜した状態Ａから、リクライニング用のモータの回転により、背もたれ部２が傾斜して予め定めた深く傾斜した状態Ｂになり、顧客が選択したコースの内容に合わせたもみ玉の動作を始める。サウンドハイブリッドコースでは、マッサージ機が予め定めた傾斜角度で停止すると、顧客の両耳にあたる位置の傾斜フレーム２６に取り付けたスピーカ２７から選択したコースの案内とサウンドが流れてくる。
【００３５】
図４にマッサージチェアの制御系のブロック図を示しながら、動作説明をする。硬貨投入器１１の硬貨投入口に投入した硬貨をコインスイッチ１６ａで検出すると検出信号が制御部４０に送られ、制御部４０では予め設定した必要な硬貨金額が投入されたことを検出すると、コントロールパネルにある複数のコース選択ボタン１３ａ，１３ｂ・・１３ｆに内設したランプを点灯させると共に動作時間をタイマ表示部１５にデジタル表示させる。例えば、立体サウンドが楽しめる各種コースや、もみ玉の動作範囲からの分けたベーシックなコースな上半身コース、首・肩コース、腰コース等が用意されている。
【００３６】
立体サウンドが楽しめるサウンドハイブリッドコースは、スピーカ２７からの立体サウンドが聞け、それぞれひとつのストーリー（ゴールデン・ハイテクコース、創業１２０年の温泉旅館コース、ビーチリゾートヒーリングコース）が音楽と共に用意されている。
例えば創業１２０年の温泉旅館コースでは温泉旅館の女将さんのポエムの語りと音楽があり、その中で音楽のテンポに同期して、マッサージを行う。これにより音ともみ玉７のマッサージで心身がリフレッシュできるようになっている。
【００３７】
ベーシックコースでは、立体サウンドはないものの通常のマッサージが受けられ、もみ玉の動作範囲毎（上半身全体、首・肩、腰）にもみ玉の動作内容（ローリング、叩き、もみ上げ、もみ下げ）、動作回数、動作時間、ローリング幅、強弱を組み合わせた内容となっている。これにより利用者が感じている疲労の部位に合わせてコースを選択することができる。これらのコース内容はチェア制御部４１の記憶装置に記憶されている。
【００３８】
利用者が好みのコース選択ボタン１３を押すことで、コース選択信号が制御部４０に送られ、制御部４０ではいずれのコースが選択されたかを検出する。そして制御部４０ではチェア制御部４１に背もたれ部を深い位置にリクライニングさせるためのリクライニング信号を送り、チェア制御部４１ではリクライニング信号により、リクライニングモータを動作させ、背もたれ部２にもたれた利用者の顔位置がスピーカ２７の位置にあたる位置まで背もたれ部２をリクライニングさせる。
【００３９】
さらに制御部４０では選択されたコースに該当するコース選択信号をチェア制御部４１に送ることで、チェア制御部４１では選択されたコースに適合するもみ玉の動作順に従い、もみ玉の位置を上下に動作させるとともに、もみ玉７を動作させ、マッサージを行うのである。
サウンドハイブリッドコースを選択している場合では、制御部４０から音響装置１７にコース信号を送り、選択されたコースの音響が音響装置１７からスピーカ２７に流れるようにするとともに音響信号をチェア制御部４１に送り、チェア制御部４１では音楽のテンポに同期させた動きをもみ玉７に行わせる。これには楽器用のＰＯＷＥＲ−ＭＯＳ  ＦＥＴにより、サウンド信号を変換してもみ玉７を瞬時に稼動、停止、強弱制御を行うのである。
【００４０】
あるいは予め音楽にあわせてもみ玉７の動作内容をチェア制御部４１のコースプログラム４２に記憶させておき、制御部４０から音響装置１７へのスタート信号と同時にチェア制御部４１にコース選択信号を送り、チェア制御部のコースプログラム４２により選択されたコースのもみ玉７の動作を行わせることで音楽に同期するもみ玉動作を行わせてもよい。
【００４１】
ベーシックコースを選択している場合では、制御部４０からチェア制御部４１にコース選択信号を送り、チェア制御部のコースプログラム４２によるもみ玉動作を行わせる。
マッサージ機本体1には背もたれの浅い位置から深い位置まで倒すリクライニング機構９を動作させるリクライニング用モータ９ａ、もみ玉７を背もたれ部２の上下に動かす送り螺子動作モータ８ａ、もみ玉７を動かしマッサージを行うモータ８ｂがあり、チェア制御部４１からのモータ制御信号により、各モータ８ａ、８ｂ、９ａを動作させる。モータ制御信号はチェア制御部のコースプログラム４２により各コース毎に用意されている。
【００４２】
制御部４０ではチェア制御部４１にコース選択信号を送るとともにタイマ表示部１５に残り時間を示し、マッサージ機動作中は非常停止ボタン１４のランプが点灯しており、非常停止ボタン１４の入力待ちをしている。そして非常停止ボタン１４が押された場合は、制御部４０ではチェア制御部４１に停止信号を発して、もみ玉７の動作をその場で停止する。
通常は、マッサージ利用者は、コース選択ボタン１３を押して選択したコースに沿ってマッサージを受けるのであるが、マッサージ機自体が何らかの原因、例えばオーバーロードによるモータの加熱等は安全回路により駆動回路が遮断され、動作が停止する。
【００４３】
以下に利用者がマッサージ機が稼動している途中で停止操作をする場合について、図５の非常停止スイッチ操作時のフローチャートに基づき説明する。
利用者が緊急事態に陥った場合やマッサージ機の動作に異常を感じた際に、マッサージ機を止める場合には、背もたれ部２が深く傾斜してマッサージを受けている状態で、手前の硬貨投入器の操作パネルの一番下側に非常停止ボタン１４が位置している。この非常停止ボタン14は利用者がその状態で右手を伸ばせば触れられるようになっている。従って、マッサージ中にマッサージを受けている利用者が右手で点灯中の非常停止ボタン１４を押すことで停止スイッチオンとなり（ステップ５０）、停止信号が制御部４０に伝わり、制御部４０では、チェア制御部４１に停止信号を発し、チェア制御部４１は動作しているマッサージ用モータ８ａ、８ｂの駆動を停止するとともに、制御部４０は非常停止ボタン１４を点滅させる（ステップ５１）。
【００４４】
次にマッサージ機を停止させた利用者が自らの緊急事態を脱した場合には、再度、非常停止ボタン１４を押すことにより（ステップ５２）、終了信号が制御部４０に伝わり、制御部４０では終了信号をチェア制御部４１に送る。
ステップ５２で、非常停止ボタン１４が再度、押されない場合は停止スイッチはオフであり、タイマ表示部１５の残り時間が経過するまで待ち（ステップ５３）、再度、非常停止ボタン１４が押されるかどうかを検出している。残り時間が経過した段階で非常停止ボタンが押された場合と同様に終了信号をチェア制御部４１に送る。
【００４５】
チェア制御部４１ではステップ５２あるいはステップ５３で終了信号が送られてくると、背もたれ部２をホームポジションの浅く傾斜した状態に戻すべく、リクライニング用モータ９ａを駆動して（ステップ５４）、背もたれ部２がホームポジションに戻るまでリクライニング用モータ９ａを駆動して（ステップ５５）、ホームポジションになった状態で非常停止ボタン１４の点滅を消すとともに、次の客待ちのアイドルモードになる（ステップ５６）。
【００４６】
上述したように、非常停止ボタンは一つのボタンの操作が２段階式になっており、一度目の操作で、マッサージの停止から、背もたれ部２のホームポジションへの移動が行われないので、万一、利用者が危険な状態になっても、無理に動かすことがなく、利用者が自分の判断で、背もたれ部２を動かすまでに時間を空けることができるのである。この非常停止ボタン１４は一つのボタンであるから、一度目の操作と２度目の操作の順序を間違えることがなく、安全に操作ができるのである。
尚、非常停止時に動作するパトライト等を硬貨投入器１１の上等に設けておくことで、初回の非常停止ボタン１４を押すと同時に、外部にサイレンと光りの点滅で助けを求め、２回目の非常停止ボタン１４でパトライトの動作を停止するようにしてもよい。
これにより外部にいる第三者はパトライトの光の点滅とサイレン音で緊急事態が発生していることに気づきやすくなり、助けを求めることができるのである。
【００４７】
図６に通常の終了動作時に気持ち良くなって寝てしまった利用者を起こすフローチャートの一部を示す。
通常の選択コースが通常通りに終了すると（ステップ６０）、チェア制御部はリクライニング用モータ９ａを駆動して（ステップ６１）、背もたれ部２が当初の浅く傾斜した状態に戻るまで（ステップ６２）、リクライニング用モータ９ａを動作させる。
そして、背もたれ部２が当初のホームポジションに戻るともみ玉を前方に突出させ（ステップ６３）、利用者が背もたれ部２から離れるのを援助する。これで眠っている利用者はもみ玉７で背中を叩かれるので起きて、動作終了となることができるのである。
【００４８】
図７に深い眠り入ってしまった利用者を起こすためのフローチャートを示す。
マッサージ機本体に人がいるかどうかを検出する人検出センサ４３を硬貨投入器１１に設けておき、座部３に利用者が入るかどうかを反射型センサ等で検出し、マッサージが終了したにも関わらず、人がいることが検出される場合は、マッサージが気持ち良くて寝入っていると思われる。
【００４９】
この場合はステップ６３までは図６に同じであり、背もたれ部２がホームポジションに戻って通常終了してから立ち去る時間である所定時間の経過を待ち（ステップ６４）、この間に継続を希望する硬貨が硬貨投入器に硬貨が投入されたならば、コース選択モードに飛び、硬貨が投入されず、所定時間が経過したならば、人検出センサ４３が入ったままであるかどうかを判定し（ステップ６６）、人検出センサ４３により利用者がマッサージ機から離れていないとみられるなら、硬貨投入器１1に設けた図示しないスピーカあるいは選択したコースで使用したスピーカ２７を用いて、利用者を起こすベルやサイレン、あるいは呼びかけ声のサウンドを発し（ステップ６７）、再度、もみ玉７を動作させ、利用者の肩を叩き、起こす動作を行う（ステップ６３）。
【００５０】
そしてその間は起こし音が発した状態であり、ステップ６４で一定時間経過後に人検出センサ４３よって利用者が離れたのを検出する（ステップ６６）と終了となる。
これにより、寝入った利用者がマッサージ機から離れるまで、肩叩き動作とサウンドで起こすのであり、これでも起きない場合はサウンドの大きさを大きくすることで、利用者が目覚めさすことができる。
【００５１】
本願発明は上述したとおり、硬貨動作式マッサージ機において、何らかの都合により顧客が途中でマッサージを停止したい場合に、非常停止ボタンを一度、押すことで、マッサージ機の動作がその状態で停止するので、利用者に何らかの体の変調が来している場合は、無理に利用者の体を動かすことがないので、利用者に危害を与えることがない。
さらに利用者が自身の安全を鑑みたうえで、再度、非常停止ボタンを押すことで、背もたれ部を深く傾斜した状態から、浅く傾斜した状態に戻すので、安全に脱出することができる。
【００５２】
さらに、本願では、利用者が一通りのマッサージコースが終了し、背もたれ部をホームポジションに戻した際にもみ玉を利用者の背中に向けて違和感のある位置に突出させて、利用者の背中を押してマッサージ機から離れるように認識させる。これにより利用者はマッサージの終了を認識することができるので、利用者にとり、マッサージ終了後に立ちやすいのである。これは、マッサージを受けていて気持ち良くなり寝入ってしまった利用者にとり、背中を刺激するので起こす機能があり、目覚めを促進するのである。また、このもみ玉が違和感のある位置に突出していることで、立ちあがりやすいだけでなく、立ちあがらない人も長時間座っていることができないのである。
【００５３】
さらにマッサージ中に気持ち良くなり深い眠りに陥ってしまった利用者には、上記に加え、目覚まし音が加わり起きやすくなり、利用者の寝過ごしを防ぐのである。これにより利用者が昼休み等の限られた時間でも安心してマッサージを受けることができるのである。
【００５４】
【発明の効果】
さらに本願の効果を請求毎に記載すると、請求項１記載の発明では、電動マッサージ機の緊急停止時に利用者が緊急停止手段を２段階に分けて操作し、第１段階の操作では電動マッサージ機の動作を停止し、第２段階の操作では電動マッサージ機の初期状態に復帰させる非常停止手段を備えた電動マッサージ機の非常停止方法及び初期状態復帰方法としてあるので、利用者に何らかの危険が迫っている場合に、電動マッサージ機をその状態のまま緊急停止させることができ、障害を取り除いた後に、マッサージ機を初期の状態に戻す操作ができるので利用者が不測の怪我等する危険がなく、安全性が高まるのである。
【００５５】
請求項２記載の発明では、非常停止手段の第２段階の操作は電動マッサージ機が動作したときから所定時間経過後に自動的に操作される電動マッサージ機の初期状態復帰方法としてあるので、これにより、第１段階で利用者が自らの力で電動マッサージ機から脱出した場合でも、電動マッサージ機は所定時間経過後に初期状態に復帰するので、次の利用者にとり、なんらの不都合もないのである。
【００５６】
請求項３記載の発明では、電動マッサージ機の所定の動作を終了後に電動マッサージ機が初期状態に復帰する際に、背もたれ部のもみ玉が前方に突出する電動マッサージ機の初期状態復帰方法としてあるので、利用者が背もたれに埋没していても背中が押されるので、マッサージ終了後にマッサージ機から立ちあがるのを援助してもらえ立ちあがりやすいのである。
【００５７】
請求項３の発明では、初期状態に復帰後に利用者が電動マッサージから離れたかどうかを検出する検出器を有し、離れていない場合には音響を発する電動マッサージ機の初期状態復帰方法としてあるので、万一マッサージ中に寝入ってしまった利用者をマッサージ終了後まで寝入っていても音響で起こすことができ、寝過ごしを防止できるのである。これにより利用者が昼休み等の限られた時間でも安心してマッサージを受けることができるのである。
【００５８】
請求項４の発明では、請求項１乃至４の何れか一つの電動マッサージ機が半透明シートで覆われた屋内設置室を有する電動マッサージ機としてあるので、人目の多いところでも利用者に気軽にマッサージを楽しめる空間を提供するので、マッサージに没頭でき、心身のリフレッシュになるのである。これにより若い女性でも人目をはばかることなくマッサージを受けることができるのである。
【００５９】
請求項６の発明では、請求項５において屋内設置室内には入り口にカーテン部があり、カーテン部の内では利用者が立ちあがる空間がある電動マッサージ機としてあるので、この空間で身だしなみと整えることができ。外部の人目をはばかることなく、カーテン部内で利用者が衣服を着たり、身繕いができるのである。
【００６０】
請求項７の発明では、請求項５または６の屋内設置室には、手荷物置き場が備えられている電動マッサージ機としてあるので利用者は屋内設置室内に手荷物を置くことができ目を瞑ってマッサージを受けても安心してできるのである。
【００６１】
請求項８では、請求項１乃至７の何れか一つの電動マッサージ機は硬貨動作により駆動される電動マッサージ機としてあるので、人手を煩わすことなく、また時間体にかかわらず、利用者は適切な料金を支払うことでマッサージを受けることができるのである。これにより、いつでも、マッサージを受けることができるのである。
【図面の簡単な説明】
【図１】
本願の発明を適用した屋内設置室付き硬貨式マッサージチェアを示す斜視図である。
【図２】
マッサージチェアの制御系のブロック図の側面図である。
【図３】
硬貨投入器のコントロールパネルである。
【図４】
マッサージチェアの制御系のブロック図である。
【図５】
非常停止スイッチ操作時のフローチャートである。
【図６】
通常の終了動作時に気持ち良くなって寝てしまった利用者を起こすフローチャートの一部である。
【図７】
深い眠り入ってしまった利用者を起こすためのフローチャートである。
【符号の説明】
１…マッサージ機本体
２…背もたれ部
３…座部
４…足載せ部
５…肘部
６…底部
７…もみ玉
８…マッサージ機構
９…リクライニング機構
１０…設置基台
１１…硬貨投入器
１２…コントロールパネル
１３…コース選択ボタン
１４…非常停止ボタン
１５…タイマ表示部
１６…硬貨投入口
１７…音響装置
１７…制御回路
１９…荷物置き台
２０…屋内設置室
２７…スピーカ
３０…半透明シート
３１…カーテン部
４０…制御部
４１…チェア制御部
４２…人検出センサ
【手続補正２】
【補正対象書類名】図面
【補正対象項目名】全図
【補正方法】変更
【補正の内容】
【図１】
2004160128.tif 000001
【図２】
2004160128.tif 000002
【図３】
2004160128.tif 000003
【図４】
2004160128.tif 000004
【図５】
2004160128.tif 000005
【図６】
2004160128.tif 000006
【図７】
2004160128.tif 000007